(57)【要約】【課題】本発明は仕切り付き包装箱を開示した。【解決手段】外側ボックスを含み、前記外側ボックスの中には内側ボックスチャンバが左方に開口して設置され、前記内側ボックスチャンバの中には内側ボックスがスライドできるように設置され、前記内側ボックスと前記外側ボックスとの間には仕切り装置が設置され、前記外側ボックスの中には密封装置が設置され、前記内側ボックスの中には調整装置が設置され、前記仕切り装置は前記内側ボックスの中に位置し前方に開口した包装チャンバを含み、前記包装チャンバの中にはリミットブロックが左右対称的に設置され、前記リミットブロックの上下両端が前記包装チャンバの内壁に当接し、前記包装チャンバの上下両側の内壁の中にはガイドロッドチャンバが対称的に連通設置される。【選択図】図１
2020142852.tif 000002
【特許請求の範囲】
【請求項１】
外側ボックスを含み、前記外側ボックスの中には内側ボックスチャンバが左方に開口して設置され、前記内側ボックスチャンバの中には内側ボックスがスライドできるように設置され、前記内側ボックスと前記外側ボックスとの間には仕切り装置が設置され、前記外側ボックスの中には密封装置が設置され、前記内側ボックスの中には調整装置が設置され、前記仕切り装置は前記内側ボックスの中に位置し前方に開口した包装チャンバを含み、前記包装チャンバの中にはリミットブロックが左右対称的に設置され、前記リミットブロックの上下両端が前記包装チャンバの内壁に当接し、前記包装チャンバの上下両側の内壁の中にはガイドロッドチャンバが対称的に連通設置され、前記ガイドロッドチャンバが前方に開口しており、前記ガイドロッドチャンバの左右両側の内壁の中には固定溝が対称的に連通設置され、前記固定溝が前方に開口しており、左右両側の前記固定溝の間にはガイドロッドがスライドできるように設置され、前記包装チャンバの中には三つの仕切り板がスライドできるように設置され、前記仕切り板の上下両端がそれぞれ前記ガイドロッドチャンバの中に挿入され、前記仕切り板の中にはガイド穴が上下対称的に、かつ左右に貫通して設置され、上下両側の前記ガイドロッドがそれぞれ上下両側の前記ガイド穴を通し、前記リミットブロックと前記仕切り板の下端とが前記調整装置に接続され、前記内側ボックスの中には前方に開口した発泡プラスチック溝が上下対称的に設置され、前記発泡プラスチック溝の下側内壁と前記包装チャンバとが連通し、前記リミットブロックの中には前記発泡プラスチック溝に真正面から相対し、且つ左右に貫通する発泡プラスチックガイド溝が設置され、前記仕切り板のうち前記発泡プラスチック溝に真正面から相対するところには連通溝が左右に貫通し設置され、前記発泡プラスチック溝の右側内壁の中には右方に開口したリミット溝が連通設置され、前記リミット溝が前方に開口しており、前記内側ボックスチャンバの前側内壁には発泡プラスチックが上下対称的に固定的に接続され、前記発泡プラスチックの後端が前記発泡プラスチック溝と、前記発泡プラスチックガイド溝と前記連通溝の中に挿入されることができ、前記内側ボックスの右端と前記内側ボックスチャンバの右側内壁との間には緩衝バネが固定的に接続される；前記リミットブロックと、前記仕切り板と前記発泡プラスチックにより前記包装チャンバを仕切り付きに包装し、それと同時に前記発泡プラスチック溝と、前記発泡プラスチックガイド溝と前記連通溝により前記発泡プラスチックをガイドし、また傾斜を防止できることを特徴とする仕切り付き包装箱。
【請求項２】
前記密封装置は前記内側ボックスチャンバの上下両側の内壁の中に対称的に連通設置される歯車チャンバを含み、前記歯車チャンバの中には歯車軸が回転できるように接続され、前記歯車軸には歯車が固定的に接続され、前記歯車チャンバのうち中心から離れている片側内壁の中には左方に開口したラック板チャンバが連通設置され、前記ラック板チャンバの中にはラック板がスライドできるように設置され、前記ラック板が前記歯車と噛合し、前記ラック板チャンバの中の左側にはリミットロッドが固定的に設置され、前記ラック板の中にはスライド溝が前後に貫通し設置され、前記リミットロッドが前記スライド溝を通し、前記ラック板の左端には磁石が固定的に接続され、前記ラック板チャンバの外に位置する前記ラック板のうち中心から離れている片側端面には引きリングが固定的に接続され、前記引きリングの中にはリング穴が左右に貫通し設置され、前記内側ボックスの左側の上下端面の中にはラックが対称的に固定的に設置される；前記内側ボックスをスライドさせ、ギヤラックの伝動により前記ラック板が連動され前記ラック板チャンバを滑り出て、ギヤラックの伝動により前記ラック板を連動し前記リミットロッドを中心に回転させ、二つの前記磁石の相互の吸引により、前記内側ボックスチャンバを閉め、この時に前記内側ボックスが完全に前記内側ボックスチャンバの中に位置することを特徴とする請求項１に記載の仕切り付き包装箱。
【請求項３】
前記調整装置は前記包装チャンバの左側内壁の中に連通設置され、且つ左方に開口したねじロッドチャンバを含み、前記ねじロッドチャンバの中にはねじロッドが回転できるように設置され、前記ねじロッドの左端には回転ブロックが固定的に接続され、前記包装チャンバの中にはねじブロックがスライドできるように設置され、前記ねじブロックの中にはねじ穴が左右に貫通し設置され、前記ねじロッドが前記ねじ穴にねじ山によって接続され、前記包装チャンバの左右両端の内壁の中にはプーリチャンバが対称的に連通設置され、前記プーリチャンバの中にはプーリ軸が回転できるように設置され、前記プーリ軸にはプーリが固定的に接続され、左右両側の前記プーリの間には接続ベルトが接続され、前記ねじブロックの上端が前記接続ベルトに固定的に接続され、前記リミットブロックの下端が前記接続ベルトに固定的に接続され、前記接続ベルトの上端には十七個の固定ブロックが陣列に分布され、且つ固定的に接続され、前記仕切り板の中には固定ブロックチャンバが下方に開口して設置され、前記固定ブロックが前記固定ブロックチャンバの中に插入される；前記回転ブロックを回転させ、前記ねじロッドと前記ねじブロックにより前記接続ベルトを連動しスライドさせ、それにより仕切りの大きさを調整し、それと同時に前記仕切り板の数を増やし又は減らすことにより仕切りの大きさを調整することを特徴とする請求項１に記載の仕切り付き包装箱。
【発明の詳細な説明】
【技術分野】
【０００１】
本発明は生産包装分野に関わり、具体的には仕切り付き包装箱である。
【背景技術】
【０００２】
生産された商品を包装することは普通であり、時々異なる商品をセットとして一緒に包装し、しかし商品の大きさと形状が異なるため、包装箱を開けると商品がバラバラになることが多く、商品の販売及び使用体験を下げ、したがって大きさと数が異なる商品を同時に包装できる仕切り付き包装箱を設計する必要があり、本発明装置はまた商品を固定しその揺動を防止でき、また包装箱を速く開けて商品を取り出すことができる。
【先行技術文献】
【特許文献】
【０００３】
【特許文献１】中国特許出願公開第１０７７１９８７３号明細書
【発明の概要】
【発明が解決しようとする課題】
【０００４】
本発明の目的は仕切り付き包装箱を提供し、それは上記の現在の技術中の問題を解決できる。
【課題を解決するための手段】
【０００５】
本発明の仕切り付き包装箱は、外側ボックスを含み、前記外側ボックスの中には内側ボックスチャンバが左方に開口して設置され、前記内側ボックスチャンバの中には内側ボックスがスライドできるように設置され、前記内側ボックスと前記外側ボックスとの間には仕切り装置が設置され、前記外側ボックスの中には密封装置が設置され、前記内側ボックスの中には調整装置が設置され、前記仕切り装置は前記内側ボックスの中に位置し前方に開口した包装チャンバを含み、前記包装チャンバの中にはリミットブロックが左右対称的に設置され、前記リミットブロックの上下両端が前記包装チャンバの内壁に当接し、前記包装チャンバの上下両側の内壁の中にはガイドロッドチャンバが対称的に連通設置され、前記ガイドロッドチャンバが前方に開口しており、前記ガイドロッドチャンバの左右両側の内壁の中には固定溝が対称的に連通設置され、前記固定溝が前方に開口しており、左右両側の前記固定溝の間にはガイドロッドがスライドできるように設置され、前記包装チャンバの中には三つの仕切り板がスライドできるように設置され、前記仕切り板の上下両端がそれぞれ前記ガイドロッドチャンバの中に挿入され、前記仕切り板の中にはガイド穴が上下対称的に、かつ左右に貫通して設置され、上下両側の前記ガイドロッドがそれぞれ上下両側の前記ガイド穴を通し、前記リミットブロックと前記仕切り板の下端とが前記調整装置に接続され、前記内側ボックスの中には前方に開口した発泡プラスチック溝が上下対称的に設置され、前記発泡プラスチック溝の下側内壁と前記包装チャンバとが連通し、前記リミットブロックの中には前記発泡プラスチック溝に真正面から相対し、且つ左右に貫通する発泡プラスチックガイド溝が設置され、前記仕切り板のうち前記発泡プラスチック溝に真正面から相対するところには連通溝が左右に貫通し設置され、前記発泡プラスチック溝の右側内壁の中には右方に開口したリミット溝が連通設置され、前記リミット溝が前方に開口しており、前記内側ボックスチャンバの前側内壁には発泡プラスチックが上下対称的に固定的に接続され、前記発泡プラスチックの後端が前記発泡プラスチック溝と、前記発泡プラスチックガイド溝と前記連通溝の中に挿入されることができ、前記内側ボックスの右端と前記内側ボックスチャンバの右側内壁との間には緩衝バネが固定的に接続される；前記リミットブロックと、前記仕切り板と前記発泡プラスチックにより前記包装チャンバを仕切り付きに包装し、それと同時に前記発泡プラスチック溝と、前記発泡プラスチックガイド溝と前記連通溝により前記発泡プラスチックをガイドし、また傾斜を防止できる。
【０００６】
優選的には、前記密封装置は前記内側ボックスチャンバの上下両側の内壁の中に対称的に連通設置される歯車チャンバを含み、前記歯車チャンバの中には歯車軸が回転できるように接続され、前記歯車軸には歯車が固定的に接続され、前記歯車チャンバのうち中心から離れている片側内壁の中には左方に開口したラック板チャンバが連通設置され、前記ラック板チャンバの中にはラック板がスライドできるように設置され、前記ラック板が前記歯車と噛合し、前記ラック板チャンバの中の左側にはリミットロッドが固定的に設置され、前記ラック板の中にはスライド溝が前後に貫通し設置され、前記リミットロッドが前記スライド溝を通し、前記ラック板の左端には磁石が固定的に接続され、前記ラック板チャンバの外に位置する前記ラック板のうち中心から離れている片側端面には引きリングが固定的に接続され、前記引きリングの中にはリング穴が左右に貫通し設置され、前記内側ボックスの左側の上下端面の中にはラックが対称的に固定的に設置される；前記内側ボックスをスライドさせ、ギヤラックの伝動により前記ラック板が連動され前記ラック板チャンバを滑り出て、ギヤラックの伝動により前記ラック板を連動し前記リミットロッドを中心に回転させ、二つの前記磁石の相互の吸引により、前記内側ボックスチャンバを閉め、この時に前記内側ボックスが完全に前記内側ボックスチャンバの中に位置する。
【０００７】
優選的には、前記調整装置は前記包装チャンバの左側内壁の中に連通設置され、且つ左方に開口したねじロッドチャンバを含み、前記ねじロッドチャンバの中にはねじロッドが回転できるように設置され、前記ねじロッドの左端には回転ブロックが固定的に接続され、前記包装チャンバの中にはねじブロックがスライドできるように設置され、前記ねじブロックの中にはねじ穴が左右に貫通し設置され、前記ねじロッドが前記ねじ穴にねじ山によって接続され、前記包装チャンバの左右両端の内壁の中にはプーリチャンバが対称的に連通設置され、前記プーリチャンバの中にはプーリ軸が回転できるように設置され、前記プーリ軸にはプーリが固定的に接続され、左右両側の前記プーリの間には接続ベルトが接続され、前記ねじブロックの上端が前記接続ベルトに固定的に接続され、前記リミットブロックの下端が前記接続ベルトに固定的に接続され、前記接続ベルトの上端には十七個の固定ブロックが陣列に分布され、且つ固定的に接続され、前記仕切り板の中には固定ブロックチャンバが下方に開口して設置され、前記固定ブロックが前記固定ブロックチャンバの中に插入される；前記回転ブロックを回転させ、前記ねじロッドと前記ねじブロックにより前記接続ベルトを連動しスライドさせ、それにより仕切りの大きさを調整し、それと同時に前記仕切り板の数を増やし又は減らすことにより仕切りの大きさを調整する。
【発明の効果】
【０００８】
以上により、本発明は構造が簡単で、操作が便利であり、仕切りの大きさと数を調整した後に商品をその中に入れて包装し、内側ボックスが完全に内側ボックスチャンバの中にプッシュされた後に内側ボックスチャンバを閉め、本発明装置は異なる大きさと数の商品を包装でき、且つ商品を固定し揺動を防止でき、また内側ボックスチャンバを速やかに開け又は閉めることができ、それにより商品を速やかに入れ又は取り出すことができる。
【図面の簡単な説明】
【０００９】
【図１】図１は本発明の仕切り付き包装箱の内部構成略図である。
【図２】図２は図１のＡーＡの構造概略図である。
【図３】図３は図１のＢの拡大略図である。
【図４】図４は図２のＣの拡大略図である。
【発明を実施するための形態】
【００１０】
以下に図１−４を交えて本発明について詳しく説明し、便利に叙述するため、現在は後文に出る方位を下記の通りに規定する：後文に出る上下左右前後方向は図１本体の投影関係の上下左右前後方向と一致する。
【００１１】
図１−４を参照し、本発明の仕切り付き包装箱は、外側ボックス２２を含み、前記外側ボックス２２の中には内側ボックスチャンバ２３が左方に開口して設置され、前記内側ボックスチャンバ２３の中には内側ボックス１１がスライドできるように設置され、前記内側ボックス１１と前記外側ボックス２２との間には仕切り装置１００が設置され、前記外側ボックス２２の中には密封装置１０１が設置され、前記内側ボックス１１の中には調整装置１０２が設置され、前記仕切り装置１００は前記内側ボックス１１の中に位置し前方に開口した包装チャンバ１５を含み、前記包装チャンバ１５の中にはリミットブロック１６が左右対称的に設置され、前記リミットブロック１６の上下両端が前記包装チャンバ１５の内壁に当接し、前記包装チャンバ１５の上下両側の内壁の中にはガイドロッドチャンバ２０が対称的に連通設置され、前記ガイドロッドチャンバ２０が前方に開口しており、前記ガイドロッドチャンバ２０の左右両側の内壁の中には固定溝５０が対称的に連通設置され、前記固定溝５０が前方に開口しており、左右両側の前記固定溝５０の間にはガイドロッド２１がスライドできるように設置され、前記包装チャンバ１５の中には三つの仕切り板１８がスライドできるように設置され、前記仕切り板１８の上下両端がそれぞれ前記ガイドロッドチャンバ２０の中に挿入され、前記仕切り板１８の中にはガイド穴４９が上下対称的に、かつ左右に貫通して設置され、上下両側の前記ガイドロッド２１がそれぞれ上下両側の前記ガイド穴４９を通し、前記リミットブロック１６と前記仕切り板１８の下端とが前記調整装置１０２に接続され、前記内側ボックス１１の中には前方に開口した発泡プラスチック溝１３が上下対称的に設置され、前記発泡プラスチック溝１３の下側内壁と前記包装チャンバ１５とが連通し、前記リミットブロック１６の中には前記発泡プラスチック溝１３に真正面から相対し、且つ左右に貫通する発泡プラスチックガイド溝１７が設置され、前記仕切り板１８のうち前記発泡プラスチック溝１３に真正面から相対するところには連通溝１９が左右に貫通し設置され、前記発泡プラスチック溝１３の右側内壁の中には右方に開口したリミット溝２７が連通設置され、前記リミット溝２７が前方に開口しており、前記内側ボックスチャンバ２３の前側内壁には発泡プラスチック２４が上下対称的に固定的に接続され、前記発泡プラスチック２４の後端が前記発泡プラスチック溝１３と、前記発泡プラスチックガイド溝１７と前記連通溝１９の中に挿入されることができ、前記内側ボックス１１の右端と前記内側ボックスチャンバ２３の右側内壁との間には緩衝バネ２５が固定的に接続される；前記リミットブロック１６と、前記仕切り板１８と前記発泡プラスチック２４により前記包装チャンバ１５を仕切り付きに包装し、それと同時に前記発泡プラスチック溝１３と、前記発泡プラスチックガイド溝１７と前記連通溝１９により前記発泡プラスチック２４をガイドし、また傾斜を防止できる。
【００１２】
有益なように、前記密封装置１０１は前記内側ボックスチャンバ２３の上下両側の内壁の中に対称的に連通設置される歯車チャンバ３５を含み、前記歯車チャンバ３５の中には歯車軸３６が回転できるように接続され、前記歯車軸３６には歯車３７が固定的に接続され、前記歯車チャンバ３５のうち中心から離れている片側内壁の中には左方に開口したラック板チャンバ２８が連通設置され、前記ラック板チャンバ２８の中にはラック板２９がスライドできるように設置され、前記ラック板２９が前記歯車３７と噛合し、前記ラック板チャンバ２８の中の左側にはリミットロッド３０が固定的に設置され、前記ラック板２９の中にはスライド溝３１が前後に貫通し設置され、前記リミットロッド３０が前記スライド溝３１を通し、前記ラック板２９の左端には磁石３４が固定的に接続され、前記ラック板チャンバ２８の外に位置する前記ラック板２９のうち中心から離れている片側端面には引きリング３２が固定的に接続され、前記引きリング３２の中にはリング穴３３が左右に貫通し設置され、前記内側ボックス１１の左側の上下端面の中にはラック１４が対称的に固定的に設置される；前記内側ボックス１１をスライドさせ、ギヤラックの伝動により前記ラック板２９が連動され前記ラック板チャンバ２８を滑り出て、ギヤラックの伝動により前記ラック板２９を連動し前記リミットロッド３０を中心に回転させ、二つの前記磁石３４の相互の吸引により、前記内側ボックスチャンバ２３を閉め、この時に前記内側ボックス１１が完全に前記内側ボックスチャンバ２３の中に位置する。
【００１３】
有益なように、前記調整装置１０２は前記包装チャンバ１５の左側内壁の中に連通設置され、且つ左方に開口したねじロッドチャンバ３８を含み、前記ねじロッドチャンバ３８の中にはねじロッド４１が回転できるように設置され、前記ねじロッド４１の左端には回転ブロック１２が固定的に接続され、前記包装チャンバ１５の中にはねじブロック３９がスライドできるように設置され、前記ねじブロック３９の中にはねじ穴４０が左右に貫通し設置され、前記ねじロッド４１が前記ねじ穴４０にねじ山によって接続され、前記包装チャンバ１５の左右両端の内壁の中にはプーリチャンバ４２が対称的に連通設置され、前記プーリチャンバ４２の中にはプーリ軸４３が回転できるように設置され、前記プーリ軸４３にはプーリ４４が固定的に接続され、左右両側の前記プーリ４４の間には接続ベルト４５が接続され、前記ねじブロック３９の上端が前記接続ベルト４５に固定的に接続され、前記リミットブロック１６の下端が前記接続ベルト４５に固定的に接続され、前記接続ベルト４５の上端には十七個の固定ブロック５１が陣列に分布され、且つ固定的に接続され、前記仕切り板１８の中には固定ブロックチャンバ５２が下方に開口して設置され、前記固定ブロック５１が前記固定ブロックチャンバ５２の中に插入される；前記回転ブロック１２を回転させ、前記ねじロッド４１と前記ねじブロック３９により前記接続ベルト４５を連動しスライドさせ、それにより仕切りの大きさを調整し、それと同時に前記仕切り板１８の数を増やし又は減らすことにより仕切りの大きさを調整する。
【００１４】
使用する時、包装される商品の数と大きさに基づいて、ガイドロッド２１を取り出して仕切り板１８の数を増やし又は減らし、それと同時に仕切り板１８をスライドさせて異なる固定ブロック５１に固定し、異なる大きさの仕切りを作り出せ、商品を層の中に入れた後に回転ブロック１２を回転させ、それによりねじロッド４１によりねじブロック３９を連動しスライドさせ、それにより接続ベルト４５を連動しスライドさせ、それにより商品の位置を調整して商品を取り出すことに便利であり、内側ボックス１１をプッシュし内側ボックスチャンバ２３の中でスライドさせ、発泡プラスチック２４により商品を再び隔離し、それと同時に商品を安定させることができ、ラック１４が歯車３７を回転連動させ、それによりラック板２９を連動しラック板チャンバ２８を滑り出て、内側ボックス１１が完全に内側ボックスチャンバ２３の中に位置した後、リミットロッド３０がスライド溝３１の中の最右の限界位置に位置し、この時にラック板２９を回転させ、二つの磁石３４の相互の吸引により、内側ボックスチャンバ２３を閉め、引きリング３２を引き内側ボックスチャンバ２３を再び開けられる。
【００１５】
本発明は構造が簡単で、操作が便利であり、仕切りの大きさと数を調整した後に商品をその中に入れて包装し、内側ボックスが完全に内側ボックスチャンバの中にプッシュされた後に内側ボックスチャンバを閉め、本発明装置は異なる大きさと数の商品を包装でき、且つ商品を固定し揺動を防止でき、また内側ボックスチャンバを速やかに開け又は閉めることができ、それにより商品を速やかに入れ又は取り出すことができる。
【００１６】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020142852.tif 000003
【図２】
2020142852.tif 000004
【図３】
2020142852.tif 000005
【図４】
2020142852.tif 000006
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
外側ボックスを含み、前記外側ボックスの中には内側ボックスチャンバが左方に開口して設置され、前記内側ボックスチャンバの中には内側ボックスがスライドできるように設置され、前記内側ボックスと前記外側ボックスとの間には仕切り装置が設置され、前記外側ボックスの中には密封装置が設置され、前記内側ボックスの中には調整装置が設置され、前記仕切り装置は前記内側ボックスの中に位置し前方に開口した包装チャンバを含み、前記包装チャンバの中にはリミットブロックが左右対称的に設置され、前記リミットブロックの上下両端が前記包装チャンバの内壁に当接し、前記包装チャンバの上下両側の内壁の中にはガイドロッドチャンバが対称的に連通設置され、前記ガイドロッドチャンバが前方に開口しており、前記ガイドロッドチャンバの左右両側の内壁の中には固定溝が対称的に連通設置され、前記固定溝が前方に開口しており、左右両側の前記固定溝の間にはガイドロッドがスライドできるように設置され、前記包装チャンバの中には三つの仕切り板がスライドできるように設置され、前記仕切り板の上下両端がそれぞれ前記ガイドロッドチャンバの中に挿入され、前記仕切り板の中にはガイド穴が左右に貫通するように設置され、二つの前記ガイド穴が前記包装チャンバに対し上下対称となっており、上下両側の前記ガイドロッドがそれぞれ上下両側の前記ガイド穴を通し、前記リミットブロックと前記仕切り板の下端とが前記調整装置に接続され、前記内側ボックスの中には前方に開口した発泡プラスチック溝が設置され、二つの前記発泡プラスチック溝が前記回転ブロックに対し上下対称となっており、前記発泡プラスチック溝の下側内壁と前記包装チャンバとが連通し、前記リミットブロックの中には前記発泡プラスチック溝に真正面から相対し、且つ左右に貫通する発泡プラスチックガイド溝が設置され、前記仕切り板のうち前記発泡プラスチック溝に真正面から相対するところには連通溝が左右に貫通し設置され、前記発泡プラスチック溝の右側内壁の中には右方に開口したリミット溝が連通設置され、前記リミット溝が前方に開口しており、前記内側ボックスチャンバの前側内壁には二つの発泡プラスチックが固定的に接続され、二つの前記発泡プラスチックが上下対称となっており、前記発泡プラスチックの後端が前記発泡プラスチック溝と、前記発泡プラスチックガイド溝と前記連通溝の中に挿入されることができ、前記内側ボックスの右端と前記内側ボックスチャンバの右側内壁との間には緩衝バネが固定的に接続されており、
前記リミットブロックと、前記仕切り板と前記発泡プラスチックにより前記包装チャンバを仕切り付きに包装し、それと同時に前記発泡プラスチック溝と、前記発泡プラスチックガイド溝と前記連通溝により前記発泡プラスチックをガイドし、また傾斜を防止できることを特徴とする仕切り付き包装箱。
【請求項２】
前記密封装置は前記内側ボックスチャンバの上下両側の内壁の中に対称的に連通設置される歯車チャンバを含み、前記歯車チャンバの中には歯車軸が回転できるように接続され、前記歯車軸には歯車が固定的に接続され、前記歯車チャンバのうち中心から離れている片側内壁の中には左方に開口したラック板チャンバが連通設置され、前記ラック板チャンバの中にはラック板がスライドできるように設置され、前記ラック板が前記歯車と噛合し、前記ラック板チャンバの中の左側にはリミットロッドが固定的に設置され、前記ラック板の中にはスライド溝が前後に貫通し設置され、前記リミットロッドが前記スライド溝を通し、前記ラック板の左端には磁石が固定的に接続され、前記ラック板チャンバの外に位置する前記ラック板のうち中心から離れている片側端面には引きリングが固定的に接続され、前記引きリングの中にはリング穴が左右に貫通し設置され、前記内側ボックスの左側の上下端面の中にはラックが対称的に固定的に設置される；前記内側ボックスをスライドさせ、ギヤラックの伝動により前記ラック板が連動され前記ラック板チャンバを滑り出て、ギヤラックの伝動により前記ラック板を連動し前記リミットロッドを中心に回転させ、二つの前記磁石の相互の吸引により、前記内側ボックスチャンバを閉め、この時に前記内側ボックスが完全に前記内側ボックスチャンバの中に位置することを特徴とする請求項１に記載の仕切り付き包装箱。
【請求項３】
前記調整装置は前記包装チャンバの左側内壁の中に連通設置され、且つ左方に開口したねじロッドチャンバを含み、前記ねじロッドチャンバの中にはねじロッドが回転できるように設置され、前記ねじロッドの左端には回転ブロックが固定的に接続され、前記包装チャンバの中にはねじブロックがスライドできるように設置され、前記ねじブロックの中にはねじ穴が左右に貫通し設置され、前記ねじロッドが前記ねじ穴にねじ山によって接続され、前記包装チャンバの左右両端の内壁の中にはプーリチャンバが対称的に連通設置され、前記プーリチャンバの中にはプーリ軸が回転できるように設置され、前記プーリ軸にはプーリが固定的に接続され、左右両側の前記プーリの間には接続ベルトが接続され、前記ねじブロックの上端が前記接続ベルトに固定的に接続され、前記リミットブロックの下端が前記接続ベルトに固定的に接続され、前記接続ベルトの上端には十七個の固定ブロックが陣列に分布され、且つ固定的に接続され、前記仕切り板の中には固定ブロックチャンバが下方に開口して設置され、前記固定ブロックが前記固定ブロックチャンバの中に插入されることを特徴とする請求項１に記載の仕切り付き包装箱。
【手続補正２】
【補正対象書類名】明細書
【補正対象項目名】全文
【補正方法】変更
【補正の内容】
【発明の詳細な説明】
【技術分野】
【０００１】
本発明は生産包装分野に関わり、具体的には仕切り付き包装箱である。
【背景技術】
【０００２】
生産された商品を包装することは普通であり、時々異なる商品をセットとして一緒に包装し、しかし商品の大きさと形状が異なるため、包装箱を開けると商品がバラバラになることが多く、商品の販売及び使用体験を下げ、したがって大きさと数が異なる商品を同時に包装できる仕切り付き包装箱を設計する必要があり、本発明装置はまた商品を固定しその揺動を防止でき、また包装箱を速く開けて商品を取り出すことができる。
【先行技術文献】
【特許文献】
【０００３】
【特許文献１】中国特許出願公開第１０７７１９８７３号明細書
【発明の概要】
【発明が解決しようとする課題】
【０００４】
本発明の目的は仕切り付き包装箱を提供し、それは上記の現在の技術中の問題を解決できる。
【課題を解決するための手段】
【０００５】
本発明の仕切り付き包装箱は、外側ボックスを含み、前記外側ボックスの中には内側ボックスチャンバが左方に開口して設置され、前記内側ボックスチャンバの中には内側ボックスがスライドできるように設置され、前記内側ボックスと前記外側ボックスとの間には仕切り装置が設置され、前記外側ボックスの中には密封装置が設置され、前記内側ボックスの中には調整装置が設置され、前記仕切り装置は前記内側ボックスの中に位置し前方に開口した包装チャンバを含み、前記包装チャンバの中にはリミットブロックが左右対称的に設置され、前記リミットブロックの上下両端が前記包装チャンバの内壁に当接し、前記包装チャンバの上下両側の内壁の中にはガイドロッドチャンバが対称的に連通設置され、前記ガイドロッドチャンバが前方に開口しており、前記ガイドロッドチャンバの左右両側の内壁の中には固定溝が対称的に連通設置され、前記固定溝が前方に開口しており、左右両側の前記固定溝の間にはガイドロッドがスライドできるように設置され、前記包装チャンバの中には三つの仕切り板がスライドできるように設置され、前記仕切り板の上下両端がそれぞれ前記ガイドロッドチャンバの中に挿入され、前記仕切り板の中にはガイド穴が左右に貫通するように設置され、二つの前記ガイド穴が前記包装チャンバに対し上下対称となっており、上下両側の前記ガイドロッドがそれぞれ上下両側の前記ガイド穴を通し、前記リミットブロックと前記仕切り板の下端とが前記調整装置に接続され、前記内側ボックスの中には前方に開口した発泡プラスチック溝が設置され、二つの前記発泡プラスチック溝が前記回転ブロックに対し上下対称となっており、前記発泡プラスチック溝の下側内壁と前記包装チャンバとが連通し、前記リミットブロックの中には前記発泡プラスチック溝に真正面から相対し、且つ左右に貫通する発泡プラスチックガイド溝が設置され、前記仕切り板のうち前記発泡プラスチック溝に真正面から相対するところには連通溝が左右に貫通し設置され、前記発泡プラスチック溝の右側内壁の中には右方に開口したリミット溝が連通設置され、前記リミット溝が前方に開口しており、前記内側ボックスチャンバの前側内壁には二つの発泡プラスチックが固定的に接続され、二つの前記発泡プラスチックが上下対称となっており、前記発泡プラスチックの後端が前記発泡プラスチック溝と、前記発泡プラスチックガイド溝と前記連通溝の中に挿入されることができ、前記内側ボックスの右端と前記内側ボックスチャンバの右側内壁との間には緩衝バネが固定的に接続される；前記リミットブロックと、前記仕切り板と前記発泡プラスチックにより前記包装チャンバを仕切り付きに包装し、それと同時に前記発泡プラスチック溝と、前記発泡プラスチックガイド溝と前記連通溝により前記発泡プラスチックをガイドし、また傾斜を防止できる。
【０００６】
優選的には、前記密封装置は前記内側ボックスチャンバの上下両側の内壁の中に対称的に連通設置される歯車チャンバを含み、前記歯車チャンバの中には歯車軸が回転できるように接続され、前記歯車軸には歯車が固定的に接続され、前記歯車チャンバのうち中心から離れている片側内壁の中には左方に開口したラック板チャンバが連通設置され、前記ラック板チャンバの中にはラック板がスライドできるように設置され、前記ラック板が前記歯車と噛合し、前記ラック板チャンバの中の左側にはリミットロッドが固定的に設置され、前記ラック板の中にはスライド溝が前後に貫通し設置され、前記リミットロッドが前記スライド溝を通し、前記ラック板の左端には磁石が固定的に接続され、前記ラック板チャンバの外に位置する前記ラック板のうち中心から離れている片側端面には引きリングが固定的に接続され、前記引きリングの中にはリング穴が左右に貫通し設置され、前記内側ボックスの左側の上下端面の中にはラックが対称的に固定的に設置される；前記内側ボックスをスライドさせ、ギヤラックの伝動により前記ラック板が連動され前記ラック板チャンバを滑り出て、ギヤラックの伝動により前記ラック板を連動し前記リミットロッドを中心に回転させ、二つの前記磁石の相互の吸引により、前記内側ボックスチャンバを閉め、この時に前記内側ボックスが完全に前記内側ボックスチャンバの中に位置する。
【０００７】
優選的には、前記調整装置は前記包装チャンバの左側内壁の中に連通設置され、且つ左方に開口したねじロッドチャンバを含み、前記ねじロッドチャンバの中にはねじロッドが回転できるように設置され、前記ねじロッドの左端には回転ブロックが固定的に接続され、前記包装チャンバの中にはねじブロックがスライドできるように設置され、前記ねじブロックの中にはねじ穴が左右に貫通し設置され、前記ねじロッドが前記ねじ穴にねじ山によって接続され、前記包装チャンバの左右両端の内壁の中にはプーリチャンバが対称的に連通設置され、前記プーリチャンバの中にはプーリ軸が回転できるように設置され、前記プーリ軸にはプーリが固定的に接続され、左右両側の前記プーリの間には接続ベルトが接続され、前記ねじブロックの上端が前記接続ベルトに固定的に接続され、前記リミットブロックの下端が前記接続ベルトに固定的に接続され、前記接続ベルトの上端には十七個の固定ブロックが陣列に分布され、且つ固定的に接続され、前記仕切り板の中には固定ブロックチャンバが下方に開口して設置され、前記固定ブロックが前記固定ブロックチャンバの中に插入される。
【発明の効果】
【０００８】
以上により、本発明は構造が簡単で、操作が便利であり、仕切りの大きさと数を調整した後に商品をその中に入れて包装し、内側ボックスが完全に内側ボックスチャンバの中にプッシュされた後に内側ボックスチャンバを閉め、本発明装置は異なる大きさと数の商品を包装でき、且つ商品を固定し揺動を防止でき、また内側ボックスチャンバを速やかに開け又は閉めることができ、それにより商品を速やかに入れ又は取り出すことができる。
【図面の簡単な説明】
【０００９】
【図１】図１は本発明の仕切り付き包装箱の内部構成略図である。
【図２】図２は図１のＡーＡの構造概略図である。
【図３】図３は図１のＢの拡大略図である。
【図４】図４は図２のＣの拡大略図である。
【発明を実施するための形態】
【００１０】
以下に図１−４を交えて本発明について詳しく説明し、便利に叙述するため、現在は後文に出る方位を下記の通りに規定する：後文に出る上下左右前後方向は図１本体の投影関係の上下左右前後方向と一致する。
【００１１】
図１−４を参照し、本発明の仕切り付き包装箱は、外側ボックス２２を含み、前記外側ボックス２２の中には内側ボックスチャンバ２３が左方に開口して設置され、前記内側ボックスチャンバ２３の中には内側ボックス１１がスライドできるように設置され、前記内側ボックス１１と前記外側ボックス２２との間には仕切り装置１００が設置され、前記外側ボックス２２の中には密封装置１０１が設置され、前記内側ボックス１１の中には調整装置１０２が設置され、前記仕切り装置１００は前記内側ボックス１１の中に位置し前方に開口した包装チャンバ１５を含み、前記包装チャンバ１５の中にはリミットブロック１６が左右対称的に設置され、前記リミットブロック１６の上下両端が前記包装チャンバ１５の内壁に当接し、前記包装チャンバ１５の上下両側の内壁の中にはガイドロッドチャンバ２０が対称的に連通設置され、前記ガイドロッドチャンバ２０が前方に開口しており、前記ガイドロッドチャンバ２０の左右両側の内壁の中には固定溝５０が対称的に連通設置され、前記固定溝５０が前方に開口しており、左右両側の前記固定溝５０の間にはガイドロッド２１がスライドできるように設置され、前記包装チャンバ１５の中には三つの仕切り板１８がスライドできるように設置され、前記仕切り板１８の上下両端がそれぞれ前記ガイドロッドチャンバ２０の中に挿入され、前記仕切り板１８の中にはガイド穴４９が左右に貫通するように設置され、二つの前記ガイド穴４９が前記包装チャンバ１５に対し上下対称となっており、上下両側の前記ガイドロッド２１がそれぞれ上下両側の前記ガイド穴４９を通し、前記リミットブロック１６と前記仕切り板１８の下端とが前記調整装置１０２に接続され、前記内側ボックス１１の中には前方に開口した発泡プラスチック溝１３が設置され、二つの前記発泡プラスチック溝１３が前記回転ブロック１２に対し上下対称となっており、前記発泡プラスチック溝１３の下側内壁と前記包装チャンバ１５とが連通し、前記リミットブロック１６の中には前記発泡プラスチック溝１３に真正面から相対し、且つ左右に貫通する発泡プラスチックガイド溝１７が設置され、前記仕切り板１８のうち前記発泡プラスチック溝１３に真正面から相対するところには連通溝１９が左右に貫通し設置され、前記発泡プラスチック溝１３の右側内壁の中には右方に開口したリミット溝２７が連通設置され、前記リミット溝２７が前方に開口しており、前記内側ボックスチャンバ２３の前側内壁には二つの発泡プラスチック２４が固定的に接続され、二つの前記発泡プラスチック２４が上下対称となっており、前記発泡プラスチック２４の後端が前記発泡プラスチック溝１３と、前記発泡プラスチックガイド溝１７と前記連通溝１９の中に挿入されることができ、前記内側ボックス１１の右端と前記内側ボックスチャンバ２３の右側内壁との間には緩衝バネ２５が固定的に接続される；前記リミットブロック１６と、前記仕切り板１８と前記発泡プラスチック２４により前記包装チャンバ１５を仕切り付きに包装し、それと同時に前記発泡プラスチック溝１３と、前記発泡プラスチックガイド溝１７と前記連通溝１９により前記発泡プラスチック２４をガイドし、また傾斜を防止できる。
【００１２】
有益なように、前記密封装置１０１は前記内側ボックスチャンバ２３の上下両側の内壁の中に対称的に連通設置される歯車チャンバ３５を含み、前記歯車チャンバ３５の中には歯車軸３６が回転できるように接続され、前記歯車軸３６には歯車３７が固定的に接続され、前記歯車チャンバ３５のうち中心から離れている片側内壁の中には左方に開口したラック板チャンバ２８が連通設置され、前記ラック板チャンバ２８の中にはラック板２９がスライドできるように設置され、前記ラック板２９が前記歯車３７と噛合し、前記ラック板チャンバ２８の中の左側にはリミットロッド３０が固定的に設置され、前記ラック板２９の中にはスライド溝３１が前後に貫通し設置され、前記リミットロッド３０が前記スライド溝３１を通し、前記ラック板２９の左端には磁石３４が固定的に接続され、前記ラック板チャンバ２８の外に位置する前記ラック板２９のうち中心から離れている片側端面には引きリング３２が固定的に接続され、前記引きリング３２の中にはリング穴３３が左右に貫通し設置され、前記内側ボックス１１の左側の上下端面の中にはラック１４が対称的に固定的に設置される；前記内側ボックス１１をスライドさせ、ギヤラックの伝動により前記ラック板２９が連動され前記ラック板チャンバ２８を滑り出て、ギヤラックの伝動により前記ラック板２９を連動し前記リミットロッド３０を中心に回転させ、二つの前記磁石３４の相互の吸引により、前記内側ボックスチャンバ２３を閉め、この時に前記内側ボックス１１が完全に前記内側ボックスチャンバ２３の中に位置する。
【００１３】
有益なように、前記調整装置１０２は前記包装チャンバ１５の左側内壁の中に連通設置され、且つ左方に開口したねじロッドチャンバ３８を含み、前記ねじロッドチャンバ３８の中にはねじロッド４１が回転できるように設置され、前記ねじロッド４１の左端には回転ブロック１２が固定的に接続され、前記包装チャンバ１５の中にはねじブロック３９がスライドできるように設置され、前記ねじブロック３９の中にはねじ穴４０が左右に貫通し設置され、前記ねじロッド４１が前記ねじ穴４０にねじ山によって接続され、前記包装チャンバ１５の左右両端の内壁の中にはプーリチャンバ４２が対称的に連通設置され、前記プーリチャンバ４２の中にはプーリ軸４３が回転できるように設置され、前記プーリ軸４３にはプーリ４４が固定的に接続され、左右両側の前記プーリ４４の間には接続ベルト４５が接続され、前記ねじブロック３９の上端が前記接続ベルト４５に固定的に接続され、前記リミットブロック１６の下端が前記接続ベルト４５に固定的に接続され、前記接続ベルト４５の上端には十七個の固定ブロック５１が陣列に分布され、且つ固定的に接続され、前記仕切り板１８の中には固定ブロックチャンバ５２が下方に開口して設置され、前記固定ブロック５１が前記固定ブロックチャンバ５２の中に插入される。
【００１４】
使用する時、包装される商品の数と大きさに基づいて、ガイドロッド２１を取り出して仕切り板１８の数を増やし又は減らし、それと同時に仕切り板１８をスライドさせて異なる固定ブロック５１に固定し、異なる大きさの仕切りを作り出せ、商品を層の中に入れた後に回転ブロック１２を回転させ、それによりねじロッド４１によりねじブロック３９を連動しスライドさせ、それにより接続ベルト４５を連動しスライドさせ、それにより商品の位置を調整して商品を取り出すことに便利であり、内側ボックス１１をプッシュし内側ボックスチャンバ２３の中でスライドさせ、発泡プラスチック２４により商品を再び隔離し、それと同時に商品を安定させることができ、ラック１４が歯車３７を回転連動させ、それによりラック板２９を連動しラック板チャンバ２８を滑り出て、内側ボックス１１が完全に内側ボックスチャンバ２３の中に位置した後、リミットロッド３０がスライド溝３１の中の最右の限界位置に位置し、この時にラック板２９を回転させ、二つの磁石３４の相互の吸引により、内側ボックスチャンバ２３を閉め、引きリング３２を引き内側ボックスチャンバ２３を再び開けられる。
【００１５】
本発明は構造が簡単で、操作が便利であり、仕切りの大きさと数を調整した後に商品をその中に入れて包装し、内側ボックスが完全に内側ボックスチャンバの中にプッシュされた後に内側ボックスチャンバを閉め、本発明装置は異なる大きさと数の商品を包装でき、且つ商品を固定し揺動を防止でき、また内側ボックスチャンバを速やかに開け又は閉めることができ、それにより商品を速やかに入れ又は取り出すことができる。
【００１６】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正３】
【補正対象書類名】図面
【補正対象項目名】図１
【補正方法】変更
【補正の内容】
【図１】
2020142852.tif 000007
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
外側ボックスを含み、前記外側ボックスの中には内側ボックスチャンバが左方に開口して設置され、前記内側ボックスチャンバの中には内側ボックスがスライドできるように設置され、前記内側ボックスと前記外側ボックスとの間には仕切り装置が設置され、前記外側ボックスの中には密封装置が設置され、前記内側ボックスの中には調整装置が設置され、前記仕切り装置は前記内側ボックスの中に位置し前方に開口した包装チャンバを含み、前記包装チャンバの中にはリミットブロックが左右対称的に設置され、前記リミットブロックの上下両端が前記包装チャンバの内壁に当接し、前記包装チャンバの上下両側の内壁の中にはガイドロッドチャンバが対称的に連通設置され、前記ガイドロッドチャンバが前方に開口しており、前記ガイドロッドチャンバの左右両側の内壁の中には固定溝が対称的に連通設置され、前記固定溝が前方に開口しており、左右両側の前記固定溝の間にはガイドロッドがスライドできるように設置され、前記包装チャンバの中には三つの仕切り板がスライドできるように設置され、前記仕切り板の上下両端がそれぞれ前記ガイドロッドチャンバの中に挿入され、前記仕切り板の中にはガイド穴が左右に貫通するように設置され、二つの前記ガイド穴が前記包装チャンバに対し上下対称となっており、上下両側の前記ガイドロッドがそれぞれ上下両側の前記ガイド穴を通し、前記リミットブロックと前記仕切り板の下端とが前記調整装置に接続され、前記内側ボックスの中には前方に開口した発泡プラスチック溝が設置され、二つの前記発泡プラスチック溝が回転ブロックに対し上下対称となっており、前記発泡プラスチック溝の下側内壁と前記包装チャンバとが連通し、前記リミットブロックの中には前記発泡プラスチック溝に真正面から相対し、且つ左右に貫通する発泡プラスチックガイド溝が設置され、前記仕切り板のうち前記発泡プラスチック溝に真正面から相対するところには連通溝が左右に貫通し設置され、前記発泡プラスチック溝の右側内壁の中には右方に開口したリミット溝が連通設置され、前記リミット溝が前方に開口しており、前記内側ボックスチャンバの前側内壁には二つの発泡プラスチックが固定的に接続され、二つの前記発泡プラスチックが上下対称となっており、前記発泡プラスチックの後端が前記発泡プラスチック溝と、前記発泡プラスチックガイド溝と前記連通溝の中に挿入されることができ、前記内側ボックスの右端と前記内側ボックスチャンバの右側内壁との間には緩衝バネが固定的に接続されており、
前記リミットブロックと、前記仕切り板と前記発泡プラスチックにより前記包装チャンバを仕切り付きに包装し、それと同時に前記発泡プラスチック溝と、前記発泡プラスチックガイド溝と前記連通溝により前記発泡プラスチックをガイドし、また傾斜を防止でき、
前記密封装置は前記内側ボックスチャンバの上下両側の内壁の中に対称的に連通設置される歯車チャンバを含み、前記歯車チャンバの中には歯車軸が回転できるように接続され、前記歯車軸には歯車が固定的に接続され、前記歯車チャンバのうち中心から離れている片側内壁の中には左方に開口したラック板チャンバが連通設置され、前記ラック板チャンバの中にはラック板がスライドできるように設置され、前記ラック板が前記歯車と噛合し、前記ラック板チャンバの中の左側にはリミットロッドが固定的に設置され、前記ラック板の中にはスライド溝が前後に貫通し設置され、前記リミットロッドが前記スライド溝を通し、前記ラック板の左端には磁石が固定的に接続され、前記ラック板チャンバの外に位置する前記ラック板のうち中心から離れている片側端面には引きリングが固定的に接続され、前記引きリングの中にはリング穴が左右に貫通し設置され、前記内側ボックスの左側の上下端面の中にはラックが対称的に固定的に設置される；前記内側ボックスをスライドさせ、ギヤラックの伝動により前記ラック板が連動され前記ラック板チャンバを滑り出て、ギヤラックの伝動により前記ラック板を連動し前記リミットロッドを中心に回転させ、二つの前記磁石の相互の吸引により、前記内側ボックスチャンバを閉め、この時に前記内側ボックスが完全に前記内側ボックスチャンバの中に位置し、
前記調整装置は前記包装チャンバの左側内壁の中に連通設置され、且つ左方に開口したねじロッドチャンバを含み、前記ねじロッドチャンバの中にはねじロッドが回転できるように設置され、前記ねじロッドの左端には前記回転ブロックが固定的に接続され、前記包装チャンバの中にはねじブロックがスライドできるように設置され、前記ねじブロックの中にはねじ穴が左右に貫通し設置され、前記ねじロッドが前記ねじ穴にねじ山によって接続され、前記包装チャンバの左右両端の内壁の中にはプーリチャンバが対称的に連通設置され、前記プーリチャンバの中にはプーリ軸が回転できるように設置され、前記プーリ軸にはプーリが固定的に接続され、左右両側の前記プーリの間には接続ベルトが接続され、前記ねじブロックの上端が前記接続ベルトに固定的に接続され、前記リミットブロックの下端が前記接続ベルトに固定的に接続され、前記接続ベルトの上端には十七個の固定ブロックが陣列に分布され、且つ固定的に接続され、前記仕切り板の中には固定ブロックチャンバが下方に開口して設置され、前記固定ブロックが前記固定ブロックチャンバの中に插入されることを特徴とする仕切り付き包装箱。
【手続補正２】
【補正対象書類名】明細書
【補正対象項目名】全文
【補正方法】変更
【補正の内容】
【発明の詳細な説明】
【技術分野】
【０００１】
本発明は生産包装分野に関わり、具体的には仕切り付き包装箱である。
【背景技術】
【０００２】
生産された商品を包装することは普通であり、時々異なる商品をセットとして一緒に包装し、しかし商品の大きさと形状が異なるため、包装箱を開けると商品がバラバラになることが多く、商品の販売及び使用体験を下げ、したがって大きさと数が異なる商品を同時に包装できる仕切り付き包装箱を設計する必要があり、本発明装置はまた商品を固定しその揺動を防止でき、また包装箱を速く開けて商品を取り出すことができる。
【先行技術文献】
【特許文献】
【０００３】
【特許文献１】中国特許出願公開第１０７７１９８７３号明細書
【発明の概要】
【発明が解決しようとする課題】
【０００４】
本発明の目的は仕切り付き包装箱を提供し、それは上記の現在の技術中の問題を解決できる。
【課題を解決するための手段】
【０００５】
本発明の仕切り付き包装箱は、外側ボックスを含み、前記外側ボックスの中には内側ボックスチャンバが左方に開口して設置され、前記内側ボックスチャンバの中には内側ボックスがスライドできるように設置され、前記内側ボックスと前記外側ボックスとの間には仕切り装置が設置され、前記外側ボックスの中には密封装置が設置され、前記内側ボックスの中には調整装置が設置され、前記仕切り装置は前記内側ボックスの中に位置し前方に開口した包装チャンバを含み、前記包装チャンバの中にはリミットブロックが左右対称的に設置され、前記リミットブロックの上下両端が前記包装チャンバの内壁に当接し、前記包装チャンバの上下両側の内壁の中にはガイドロッドチャンバが対称的に連通設置され、前記ガイドロッドチャンバが前方に開口しており、前記ガイドロッドチャンバの左右両側の内壁の中には固定溝が対称的に連通設置され、前記固定溝が前方に開口しており、左右両側の前記固定溝の間にはガイドロッドがスライドできるように設置され、前記包装チャンバの中には三つの仕切り板がスライドできるように設置され、前記仕切り板の上下両端がそれぞれ前記ガイドロッドチャンバの中に挿入され、前記仕切り板の中にはガイド穴が左右に貫通するように設置され、二つの前記ガイド穴が前記包装チャンバに対し上下対称となっており、上下両側の前記ガイドロッドがそれぞれ上下両側の前記ガイド穴を通し、前記リミットブロックと前記仕切り板の下端とが前記調整装置に接続され、前記内側ボックスの中には前方に開口した発泡プラスチック溝が設置され、二つの前記発泡プラスチック溝が回転ブロックに対し上下対称となっており、前記発泡プラスチック溝の下側内壁と前記包装チャンバとが連通し、前記リミットブロックの中には前記発泡プラスチック溝に真正面から相対し、且つ左右に貫通する発泡プラスチックガイド溝が設置され、前記仕切り板のうち前記発泡プラスチック溝に真正面から相対するところには連通溝が左右に貫通し設置され、前記発泡プラスチック溝の右側内壁の中には右方に開口したリミット溝が連通設置され、前記リミット溝が前方に開口しており、前記内側ボックスチャンバの前側内壁には二つの発泡プラスチックが固定的に接続され、二つの前記発泡プラスチックが上下対称となっており、前記発泡プラスチックの後端が前記発泡プラスチック溝と、前記発泡プラスチックガイド溝と前記連通溝の中に挿入されることができ、前記内側ボックスの右端と前記内側ボックスチャンバの右側内壁との間には緩衝バネが固定的に接続される；前記リミットブロックと、前記仕切り板と前記発泡プラスチックにより前記包装チャンバを仕切り付きに包装し、それと同時に前記発泡プラスチック溝と、前記発泡プラスチックガイド溝と前記連通溝により前記発泡プラスチックをガイドし、また傾斜を防止できる。
【０００６】
優選的には、前記密封装置は前記内側ボックスチャンバの上下両側の内壁の中に対称的に連通設置される歯車チャンバを含み、前記歯車チャンバの中には歯車軸が回転できるように接続され、前記歯車軸には歯車が固定的に接続され、前記歯車チャンバのうち中心から離れている片側内壁の中には左方に開口したラック板チャンバが連通設置され、前記ラック板チャンバの中にはラック板がスライドできるように設置され、前記ラック板が前記歯車と噛合し、前記ラック板チャンバの中の左側にはリミットロッドが固定的に設置され、前記ラック板の中にはスライド溝が前後に貫通し設置され、前記リミットロッドが前記スライド溝を通し、前記ラック板の左端には磁石が固定的に接続され、前記ラック板チャンバの外に位置する前記ラック板のうち中心から離れている片側端面には引きリングが固定的に接続され、前記引きリングの中にはリング穴が左右に貫通し設置され、前記内側ボックスの左側の上下端面の中にはラックが対称的に固定的に設置される；前記内側ボックスをスライドさせ、ギヤラックの伝動により前記ラック板が連動され前記ラック板チャンバを滑り出て、ギヤラックの伝動により前記ラック板を連動し前記リミットロッドを中心に回転させ、二つの前記磁石の相互の吸引により、前記内側ボックスチャンバを閉め、この時に前記内側ボックスが完全に前記内側ボックスチャンバの中に位置する。
【０００７】
優選的には、前記調整装置は前記包装チャンバの左側内壁の中に連通設置され、且つ左方に開口したねじロッドチャンバを含み、前記ねじロッドチャンバの中にはねじロッドが回転できるように設置され、前記ねじロッドの左端には前記回転ブロックが固定的に接続され、前記包装チャンバの中にはねじブロックがスライドできるように設置され、前記ねじブロックの中にはねじ穴が左右に貫通し設置され、前記ねじロッドが前記ねじ穴にねじ山によって接続され、前記包装チャンバの左右両端の内壁の中にはプーリチャンバが対称的に連通設置され、前記プーリチャンバの中にはプーリ軸が回転できるように設置され、前記プーリ軸にはプーリが固定的に接続され、左右両側の前記プーリの間には接続ベルトが接続され、前記ねじブロックの上端が前記接続ベルトに固定的に接続され、前記リミットブロックの下端が前記接続ベルトに固定的に接続され、前記接続ベルトの上端には十七個の固定ブロックが陣列に分布され、且つ固定的に接続され、前記仕切り板の中には固定ブロックチャンバが下方に開口して設置され、前記固定ブロックが前記固定ブロックチャンバの中に插入される。
【発明の効果】
【０００８】
以上により、本発明は構造が簡単で、操作が便利であり、仕切りの大きさと数を調整した後に商品をその中に入れて包装し、内側ボックスが完全に内側ボックスチャンバの中にプッシュされた後に内側ボックスチャンバを閉め、本発明装置は異なる大きさと数の商品を包装でき、且つ商品を固定し揺動を防止でき、また内側ボックスチャンバを速やかに開け又は閉めることができ、それにより商品を速やかに入れ又は取り出すことができる。
【図面の簡単な説明】
【０００９】
【図１】図１は本発明の仕切り付き包装箱の内部構成略図である。
【図２】図２は図１のＡーＡの構造概略図である。
【図３】図３は図１のＢの拡大略図である。
【図４】図４は図２のＣの拡大略図である。
【発明を実施するための形態】
【００１０】
以下に図１−４を交えて本発明について詳しく説明し、便利に叙述するため、現在は後文に出る方位を下記の通りに規定する：後文に出る上下左右前後方向は図１本体の投影関係の上下左右前後方向と一致する。
【００１１】
図１−４を参照し、本発明の仕切り付き包装箱は、外側ボックス２２を含み、前記外側ボックス２２の中には内側ボックスチャンバ２３が左方に開口して設置され、前記内側ボックスチャンバ２３の中には内側ボックス１１がスライドできるように設置され、前記内側ボックス１１と前記外側ボックス２２との間には仕切り装置１００が設置され、前記外側ボックス２２の中には密封装置１０１が設置され、前記内側ボックス１１の中には調整装置１０２が設置され、前記仕切り装置１００は前記内側ボックス１１の中に位置し前方に開口した包装チャンバ１５を含み、前記包装チャンバ１５の中にはリミットブロック１６が左右対称的に設置され、前記リミットブロック１６の上下両端が前記包装チャンバ１５の内壁に当接し、前記包装チャンバ１５の上下両側の内壁の中にはガイドロッドチャンバ２０が対称的に連通設置され、前記ガイドロッドチャンバ２０が前方に開口しており、前記ガイドロッドチャンバ２０の左右両側の内壁の中には固定溝５０が対称的に連通設置され、前記固定溝５０が前方に開口しており、左右両側の前記固定溝５０の間にはガイドロッド２１がスライドできるように設置され、前記包装チャンバ１５の中には三つの仕切り板１８がスライドできるように設置され、前記仕切り板１８の上下両端がそれぞれ前記ガイドロッドチャンバ２０の中に挿入され、前記仕切り板１８の中にはガイド穴４９が左右に貫通するように設置され、二つの前記ガイド穴４９が前記包装チャンバ１５に対し上下対称となっており、上下両側の前記ガイドロッド２１がそれぞれ上下両側の前記ガイド穴４９を通し、前記リミットブロック１６と前記仕切り板１８の下端とが前記調整装置１０２に接続され、前記内側ボックス１１の中には前方に開口した発泡プラスチック溝１３が設置され、二つの前記発泡プラスチック溝１３が回転ブロック１２に対し上下対称となっており、前記発泡プラスチック溝１３の下側内壁と前記包装チャンバ１５とが連通し、前記リミットブロック１６の中には前記発泡プラスチック溝１３に真正面から相対し、且つ左右に貫通する発泡プラスチックガイド溝１７が設置され、前記仕切り板１８のうち前記発泡プラスチック溝１３に真正面から相対するところには連通溝１９が左右に貫通し設置され、前記発泡プラスチック溝１３の右側内壁の中には右方に開口したリミット溝２７が連通設置され、前記リミット溝２７が前方に開口しており、前記内側ボックスチャンバ２３の前側内壁には二つの発泡プラスチック２４が固定的に接続され、二つの前記発泡プラスチック２４が上下対称となっており、前記発泡プラスチック２４の後端が前記発泡プラスチック溝１３と、前記発泡プラスチックガイド溝１７と前記連通溝１９の中に挿入されることができ、前記内側ボックス１１の右端と前記内側ボックスチャンバ２３の右側内壁との間には緩衝バネ２５が固定的に接続される；前記リミットブロック１６と、前記仕切り板１８と前記発泡プラスチック２４により前記包装チャンバ１５を仕切り付きに包装し、それと同時に前記発泡プラスチック溝１３と、前記発泡プラスチックガイド溝１７と前記連通溝１９により前記発泡プラスチック２４をガイドし、また傾斜を防止できる。
【００１２】
有益なように、前記密封装置１０１は前記内側ボックスチャンバ２３の上下両側の内壁の中に対称的に連通設置される歯車チャンバ３５を含み、前記歯車チャンバ３５の中には歯車軸３６が回転できるように接続され、前記歯車軸３６には歯車３７が固定的に接続され、前記歯車チャンバ３５のうち中心から離れている片側内壁の中には左方に開口したラック板チャンバ２８が連通設置され、前記ラック板チャンバ２８の中にはラック板２９がスライドできるように設置され、前記ラック板２９が前記歯車３７と噛合し、前記ラック板チャンバ２８の中の左側にはリミットロッド３０が固定的に設置され、前記ラック板２９の中にはスライド溝３１が前後に貫通し設置され、前記リミットロッド３０が前記スライド溝３１を通し、前記ラック板２９の左端には磁石３４が固定的に接続され、前記ラック板チャンバ２８の外に位置する前記ラック板２９のうち中心から離れている片側端面には引きリング３２が固定的に接続され、前記引きリング３２の中にはリング穴３３が左右に貫通し設置され、前記内側ボックス１１の左側の上下端面の中にはラック１４が対称的に固定的に設置される；前記内側ボックス１１をスライドさせ、ギヤラックの伝動により前記ラック板２９が連動され前記ラック板チャンバ２８を滑り出て、ギヤラックの伝動により前記ラック板２９を連動し前記リミットロッド３０を中心に回転させ、二つの前記磁石３４の相互の吸引により、前記内側ボックスチャンバ２３を閉め、この時に前記内側ボックス１１が完全に前記内側ボックスチャンバ２３の中に位置する。
【００１３】
有益なように、前記調整装置１０２は前記包装チャンバ１５の左側内壁の中に連通設置され、且つ左方に開口したねじロッドチャンバ３８を含み、前記ねじロッドチャンバ３８の中にはねじロッド４１が回転できるように設置され、前記ねじロッド４１の左端には前記回転ブロック１２が固定的に接続され、前記包装チャンバ１５の中にはねじブロック３９がスライドできるように設置され、前記ねじブロック３９の中にはねじ穴４０が左右に貫通し設置され、前記ねじロッド４１が前記ねじ穴４０にねじ山によって接続され、前記包装チャンバ１５の左右両端の内壁の中にはプーリチャンバ４２が対称的に連通設置され、前記プーリチャンバ４２の中にはプーリ軸４３が回転できるように設置され、前記プーリ軸４３にはプーリ４４が固定的に接続され、左右両側の前記プーリ４４の間には接続ベルト４５が接続され、前記ねじブロック３９の上端が前記接続ベルト４５に固定的に接続され、前記リミットブロック１６の下端が前記接続ベルト４５に固定的に接続され、前記接続ベルト４５の上端には十七個の固定ブロック５１が陣列に分布され、且つ固定的に接続され、前記仕切り板１８の中には固定ブロックチャンバ５２が下方に開口して設置され、前記固定ブロック５１が前記固定ブロックチャンバ５２の中に插入される。
【００１４】
使用する時、包装される商品の数と大きさに基づいて、ガイドロッド２１を取り出して仕切り板１８の数を増やし又は減らし、それと同時に仕切り板１８をスライドさせて異なる固定ブロック５１に固定し、異なる大きさの仕切りを作り出せ、商品を層の中に入れた後に回転ブロック１２を回転させ、それによりねじロッド４１によりねじブロック３９を連動しスライドさせ、それにより接続ベルト４５を連動しスライドさせ、それにより商品の位置を調整して商品を取り出すことに便利であり、内側ボックス１１をプッシュし内側ボックスチャンバ２３の中でスライドさせ、発泡プラスチック２４により商品を再び隔離し、それと同時に商品を安定させることができ、ラック１４が歯車３７を回転連動させ、それによりラック板２９を連動しラック板チャンバ２８を滑り出て、内側ボックス１１が完全に内側ボックスチャンバ２３の中に位置した後、リミットロッド３０がスライド溝３１の中の最右の限界位置に位置し、この時にラック板２９を回転させ、二つの磁石３４の相互の吸引により、内側ボックスチャンバ２３を閉め、引きリング３２を引き内側ボックスチャンバ２３を再び開けられる。
【００１５】
本発明は構造が簡単で、操作が便利であり、仕切りの大きさと数を調整した後に商品をその中に入れて包装し、内側ボックスが完全に内側ボックスチャンバの中にプッシュされた後に内側ボックスチャンバを閉め、本発明装置は異なる大きさと数の商品を包装でき、且つ商品を固定し揺動を防止でき、また内側ボックスチャンバを速やかに開け又は閉めることができ、それにより商品を速やかに入れ又は取り出すことができる。
【００１６】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。